(57)【特許請求の範囲】
【請求項１】
スキャナユニットのプラテン面に原稿を給送するフィーダユニットを開閉可能に取り付けた画像読取装置であって、
前記プラテン面を有するスキャナ筐体と、
前記プラテン面を被うプラテンカバーを備えたフィーダ筐体と、
前記フィーダ筐体を前記スキャナ筐体に開閉自在に取付ける為の連結フレームと、から構成され、
前記連結フレームは、
前記スキャナ筐体と略々同一平面の据付面に載置可能な設置面と、
前記スキャナ筐体のプラテン面と略々同一平面に位置するヒンジ取付面と、
を有するフレーム部材で構成され、
前記ヒンジ取付面には、前記スキャナ筐体のプラテン面に前記フィーダユニットのプラテンカバーが係合可能な高さ位置にヒンジ連結部が設けられ、
前記スキャナ筐体には、前記据付面に載置可能なスキャナ設置面が設けられ、
当該スキャナ設置面には、その４隅部に設置脚を取付ける第１ブッシュ取付部が配置され、
前記連結フレームの設置面には、その２隅部に前記設置脚を取付ける第２ブッシュ取付部が配置され、
前記連結フレームは、前記ヒンジ取付面に作用するフィーダユニットの重量を前記第２ブッシュ取付部に取り付けられる前記設置脚で支持可能な強度に構成されていることを特徴とする画像読取装置。
【請求項２】
前記連結フレームは、
前記設置面を有する底部壁と、
前記ヒンジ取付面を有する天部壁と、
前記底部壁と天部壁を連結する側部壁とを、備え、
前記底部壁と天部壁と側部壁とは前記フィーダユニットの重量を前記設置脚で支持可能な強度を有する中空部材で構成されていることを特徴とする請求項１に記載の画像読取装置。
【請求項３】
前記スキャナユニットは、
原稿シートを載置可能な第１のプラテンと、
前記フィーダユニットから所定速度で供給される原稿シートの画像を読取る第２のプラテンと、
前記第１プラテンおよび第２プラテンの原稿画像を読取る画像読取手段と、
を備え、
前記フィーダユニットは、
前記第１プラテンを被うプラテンカバーと、
前記プラテンカバーの上方に配置され原稿シートを前記第２プラテンに給送する給紙トレイと、
前記プラテンカバーと給紙トレイとの間に配置され前記第２プラテンからの原稿シートを収容する排紙トレイと、
前記給紙トレイから原稿シートを前記第２プラテンを経由して前記排紙トレイに搬送する搬送手段と、
前記搬送手段を駆動する駆動モータと、
を備えていることを特徴とする請求項１に記載の画像読取装置。
【請求項４】
前記駆動モータは、前記フィーダ筐体の一側縁に配置され、前記連結フレームの上方に配置されていることを特徴とする請求項３に記載の画像読取装置。
【請求項５】
前記連結フレームのヒンジ取付面には、距離を隔てて２個所にそれぞれヒンジ軸を有するヒンジ連結部材が設けられ、
前記フィーダユニットは、前記プラテンカバーがこのヒンジ軸を中心に前記第１プラテンを開閉するように揺動可能に前記連結フレームに取り付けられることを特徴とする請求項３に記載の画像読取装置。
【請求項６】
前記設置脚は、前記スキャナユニットへの外部振動の伝搬を軽減するゴムなどの弾性部材で構成され、前記連結フレームの２個所に前記ヒンジ連結部材に作用するフィーダユニットの重量を支持可能に配置されていることを特徴とする請求項５に記載の画像読取装置。
【請求項７】
前記フィーダユニットは前記スキャナユニットのオプションとして選択可能に装備され、フィーダユニットを装備しないときの前記設置脚は前記第１ブッシュ取付部に取付けられ、
前記フィーダユニットを装備するときの設置脚は、前記第１ブッシュ取付部と前記第２ブッシュ取付部に取付けられることを特徴とする請求項３に記載の画像読取装置。
【請求項８】
前記連結フレームと前記スキャナ筐体とは、互いに着脱可能に連結され、
前記連結フレームに作用する前記フィーダユニットの重量を、当該連結フレームに配置された前記設置脚と、前記フィーダユニットに配置された設置脚とで荷重バランスを安定させるように支持することを特徴とする請求項７に記載の画像読取装置。
【発明の詳細な説明】
【技術分野】
【０００１】
本発明は、プラテン上の原稿画像を読み取る画像読取装置に係わり、プラテン上に原稿画像を自動給送するフィーダユニットの据え付け構造の改良に関する。
【背景技術】
【０００２】
一般にこの種の画像読取装置は、スキャナ、複写機、複合プリンタなどの画像入力機器として広く知られている。例えば特許文献１に示すような複合機では、プリンタユニットと、スキャナユニットとフィーダユニットで構成される画像ハンドリングシステムが知られている。
【０００３】
そして文献１には、プリンタユニットの上方にスキャナユニット、その上方にフィーダユニットを積み重ねたシステムが提案されている。このようなシステム構成をユーザオプションで、プリンタユニットのみで構成する場合、スキャナユニットのみで構成する場合、フィーダユニット付きスキャナユニットで構成するなど、需要に応じて構成している。
【０００４】
例えば、プリンタユニットを備えない、ネットワークスキャナシステムでは、スキャナユニットでシステム構成するか、フィーダ付きスキャナユニットでシステム構成するか使用者が用途に応じて構成するようにしている。従来、ユーザオプションでスキャナユニットにフィーダユニットを装着するか否か選定するときにはスキャナユニットを次のように構成している。
【０００５】
スキャナユニットは、プラテンを備えたスキャナ筐体とその内部に内蔵した画像読取ユニットで構成し、画像読取ユニットはプラテン上の原稿を線順位で読取る光学キャリッジで構成するフラットベッド式スキャナが広く用いられている。そこで従来はスキャナユニットに原稿シートを載置するプラテンと、フィーダから供給される原稿シートを読取るプラテンを設け、スキャナユニットを装着するときにはスキャナユニットの上方にフィーダユニットを開閉可能に装備している。そしてプラテン上に原稿シートをセット（マニュアルセット）するときにはフィーダユニットを旋回させてプラテン上方を開放している。
【先行技術文献】
【特許文献】
【０００６】
【特許文献１】特開２００９−１１１７２８号公報
【発明の概要】
【発明が解決しようとする課題】
【０００７】
上述のようにスキャナなどの機器を据付面に載置する場合にスキャナ筐体の底部に設置脚を設けている。この設置脚は机上などの据付面に安定して機器を支持するのと同時に外部振動をスキャナ内部に伝搬しない配慮している。このため設置脚は機器底壁面にゴムブッシュなどの弾性脚を取り付けている。そしてこの弾性脚は据付面の凹凸に応じて高さ調整する装置構成と、予め定めた設計値に高さ位置を設定する装置構成が知られている。
【０００８】
前者の高さ調整可能な設置脚構成は、機器の重量が大きく頻繁に据付位置を移動しない場合に採用され、後者の固定設置脚構成は、機器の重量が軽く頻繁に設置位置を移動する必要がある機器に多く採用されている。
【０００９】
そこでスキャナなどの画像形成装置は頻繁に据付位置を変更する使用方法があるため、ゴムブッシュなどの設置脚を予め設定した設計値の高さ位置で固定し、種々の据付面に設置可能に構成している。そしてこの種のスキャナは機器重量を軽量に構成するため例えばモノコック構造など簡易フレームで構成している。
【００１０】
一方、このようなスキャナユニットに、そのプラテンに原稿シートを自動供給するフィーダユニットを装備することが用途に応じて必要となる。このフィーダユニットはスキャナ筐体のプラテンに原稿シートを供給する関係で原稿トレイの占有スペースはプラテンとほぼ同一面積が必要となる。そしてこの原稿トレイにセットしたシートをプラテンに供給するための搬送駆動機構の占めるスペースはプラテンエリアの外側に張り出すこととなる。従って、従来のフィーダユニットを装備可能なスキャナユニットは、プラテンスペースより大きい形状で、フィーダユニットの重量を支える強度のフレーム構造に構成する必要があった。
【００１１】
そこで、フィーダユニットをオプションで装備する場合には、従来はスキャナユニットのフレーム構造を、大型でフィーダユニットの重量に耐えうる強度に構成する必要があった。これと共に、設置脚はスキャナユニット単体の場合とフィーダユニットを装備した場合とでは総重量が異なるため吸振性と弾力性から最適材料を選択しなければならない問題があった。例えば弾性に富んだ材料を用いると設置脚は弾性変形でその高さ位置が低く、装置が傾くこととなり、弾性の小さい材料を用いると吸振性が劣るという問題に遭遇する。
【００１２】
本発明者は、オプションとしてフィーダユニットを装備する装置構成において、フィーダ筐体を連結フレームに取り付け、この連結フレームをスキャナユニットに連結することによってフィーダ重量を連結フレーム側で支持するとの知見に着目した。そこでこの連結フレームの安定したフィーダの支持が可能な構造を創出するに至った。
【００１３】
本発明は、スキャナユニットにオプションとしてフィーダユニットを装着する装置構成において、スキャナユニットを小型軽量に構成することが可能であり、同時にフィーダユニットを装置した際に安定して設置することが可能な画像読取装置の提供をその主な課題としている。
【課題を解決するための手段】
【００１４】
上記課題を達成するため本発明は、プラテンを有するスキャナユニットと、このプラテンに原稿シートを給送するフィーダユニットと、連結フレームとを備える。そしてこの連結フレームを、据付面に載置可能な設置面と、スキャナ筐体のプラテン面と略々同一平面に位置するヒンジ取付面と、設置面の少なくとも２個所に配置された設置脚とを有するフレーム部材で構成し、その強度をフィーダユニットの重量を支持可能に構成することを特徴としている。
【００１５】
その構成を詳述すると、本願発明は、スキャナユニットのプラテン面に原稿を給送するフィーダユニットを開閉可能に取り付けた画像読取装置であって、前記プラテン面を有するスキャナ筐体と、前記プラテン面を被うプラテンカバーを備えたフィーダ筐体と、前記フィーダ筐体を前記スキャナ筐体に開閉自在に取付ける為の連結フレームと、から構成され、前記連結フレームは、前記スキャナ筐体と略々同一平面の据付面に載置可能な設置面と、前記スキャナ筐体のプラテン面と略々同一平面に位置するヒンジ取付面と、を有するフレーム部材で構成され、前記ヒンジ取付面には、前記スキャナ筐体のプラテン面に前記フィーダユニットのプラテンカバーが係合可能な高さ位置にヒンジ連結部が設けられ、前記スキャナ筐体には、前記据付面に載置可能なスキャナ設置面が設けられ、当該スキャナ設置面には、その４隅部に設置脚を取付ける第１ブッシュ取付部が配置され、前記連結フレームの設置面には、その２隅部に前記設置脚を取付ける第２ブッシュ取付部が配置され、前記連結フレームは、前記ヒンジ取付面に作用するフィーダユニットの重量を前記第２ブッシュ取付部に取り付けられる前記設置脚で支持可能な強度に構成されていることを特徴とするものである。
【発明の効果】
【００１６】
本発明は、スキャナ筐体とは別に連結フレームを設け、この連結フレームを任意の据付面に載置可能な設置面と、プラテン面と略々同一平面に位置するヒンジ取付面と、設置面の少なくとも２個所に配置された設置脚とを有するフィーダユニットの重量を支持可能な強度のフレーム部材で構成したものであるから、以下の効果を奏する。
【００１７】
スキャナユニットは、プラテンとこのプラテン上の原稿画像を読取る画像読取手段を内蔵し、その重量を支持するフレーム構造に構成することによって軽量で小型に装置筐体を構成することが可能である。一方このスキャナユニットにフィーダユニットを装着する際には、このユニットをスキャナ筐体とは別の連結フレームに取り付けてその重量を支持する。
【００１８】
これによってフィーダユニットを確実に安定した状態で支持することが可能である。特にスキャナユニットにフィーダを設置するスペースを必要としないからその筐体を小型コンパクトに構成することが出来、同時にフィーダの重量を支持するフレーム強度に構成する必要がないから軽量で簡易なフレーム構造を採用することが可能となる。
【００１９】
更に連結フレームには、スキャナ筐体と略々同一平面の据付面に載置可能な設置面が設けられ、この設置面の少なくとも２個所に設置脚が配置されているから、フィーダの重量は連結フレームから設置脚に伝えられ据付面で確実に安定して支持される。従ってフィーダユニットをヒンジ連結部材でプラテンを開閉する動作時には、このユニットは連結フレームと据付面に安定した状態で支持されているから安定した開閉動作が可能となる。
【００２０】
更に、スキャナ筐体に据付面に載置可能なスキャナ設置面を設け、この設置面に設置脚を取付ける第１ブッシュ取付部を配置し、連結フレームの設置面に設置脚を取付ける第２ブッシュ取付部が配置され、この第１、第２ブッシュ取付部に取付けられる設置脚によって、スキャナユニットを単体で据付面に載置して使用するときにも、フィーダユニットを装着して使用するときにも、設置脚の位置を変更・追加することによって安定した姿勢で任意の据付面に安定した姿勢で設置することが可能である。
【００２１】
このように本発明はオプションとしてスキャナユニットにフィーダユニットを装着する装置構成において、フィーダユニットを装備しないスキャナ単体の使用態様のとき、このユニットを小型で軽量に構成することが可能である。
【図面の簡単な説明】
【００２２】
【図１】本発明に係わる画像読取装置の全体構成を示す斜視説明図。
【図２】図１の装置の部分説明図であり、（ａ）はフィーダユニットの説明図であり、図１と異なる方向の斜視図、（ｂ）はスキャナユニットにフィーダユニットを装着したプラテン開放状態を示す説明図。
【図３】図１のフィーダユニットの平面構成を示す説明図。
【図４】図１のフィーダユニットの縦断断面構成の説明図。
【図５】図１の装置におけるフィーダユニットの要部説明図であり、（ａ）はフィーダユニットの取付用ヒンジ部材の断面説明図、（ｂ）は給紙モータの駆動機構を示す説明図。
【図６】連結フレームの構成図であり、（ａ）（ｂ）は要部説明図。
【図７】図１の装置におけるフィーダユニットをスキャナユニットに装備した状態の内部構造を省略した図１Ｘ−Ｘ方向縦断断面図。
【図８】図１の装置におけるフィーダユニットをスキャナユニットに装備した状態の平面レイアウト構成を示す説明図。
【発明を実施するための形態】
【００２３】
以下図示の実施形態に基づいて本発明を詳述する。図１は画像読取装置を示し、スキャナユニットＡとフィーダユニットＢとから構成されている。以下スキャナユニットＡ、フィーダユニットこの順に説明する。
【００２４】
［スキャナユニット］
スキャナユニットＡは図１、図２（ｂ）に外形形状を、図３に詳細構造を示すようにボックス形状の外筐ケーシング１を備え、その天部１ａに原稿シートを載置セットする第１プラテン２ａと、後述するフィーダユニットＢから送られる原稿シートの画像を読取る第２プラテン２ｂとが配置されている。第１プラテン２ａは最大サイズの原稿シート寸法に応じたフラットベッドプラテンで構成され、第２プラテン２ｂは最大サイズの原稿シートの幅法に応じたスリット露光プラテンで構成されている。
【００２５】
上記外筐ケーシング１の内部には図４に示すように光学キャリッジ３がガイドレール４に沿って図示左右方向に移動可能に配置されている。この光学キャリッジ３には上方に位置するプラテン面に読取光を照射する光源ランプ５と、原稿からの反射光を所定の光路方向に偏向する反射ミラー６が配置されている。
【００２６】
上記光学キャリッジ３には、上記反射ミラー６からの光を結像する集光レンズ７と、このレンズからの結像光を光電変換する読取素子８が内蔵されている。この集光レンズ７と読取素子８から構成される画像読取手段９は、必ずしも光学キャリッジ３に内蔵される必要はなく、例えばこのキャリッジとは別に外筐ケーシング１の底部１ｂに配置されているシャーシに集光レンズ７、読取素子８の順に固定される構造であっても良い。
【００２７】
そして光学キャリッジ３は、図４Ｙ方向（主走査方向）に平行に配置された一対のガイドレール４で水平姿勢で支持され、前記第１プラテン２ａ、第２プラテン２ｂの間で位置移動可能であると共に、第１プラテン２ａの画像読取方向（副走査方向）に所定ストロークで往復動可能に構成されている。そしてこの光学キャリッジ３には図示しないキャリッジモータに連結され、ベルト、プーリなどの牽引部材でモータの回転軸に連結されている。従ってこのモータの正逆転によって光学キャリッジ３は、第１プラテン２ａの読取位置と、第２プラテン２ｂの読取位置に位置移動可能となり、同時に第１プラテン２ａに沿って副走査方向に所定ストロークで往復動することとなる。
【００２８】
上述の外筐ケーシング（以下「スキャナ筐体」という）１には、天部１ａに第１第２プラテン２ａ、２ｂが配置され、底部１ｂには図６に示すようにスキャナ設置面１ｘが設けてある。このスキャナ設置面１ｘはスキャナ筐体１を机上など任意の据付面Ｘａに載置支持する。そしてこのスキャナ設置面１ｘには後述する設置脚（ゴムブッシュ）が取り付けられる。そしてスキャナ筐体１はモノコック構造で装置フレームが構成されている。つまりボックス形状の筐体を例えば合成術のモールド成形で形成し、その天部１ａと底部１ｂと側壁部１ｃで上述の光学キャリッジ３と、キャリッジモータ（不図示）などを支持し外部衝撃から保護している。
【００２９】
［フィーダユニット］
フィーダユニットＢは上記スキャナユニットＡの第１第２プラテン２ａ、２ｂの上方に配置される。そしてフィーダ筺体１０と、第１プラテン２ａを被う遮光カバー１１と、第２プラテン２ｂに原稿シートを所定速度で給送するフィーダ部１２とを備えている。遮光カバー１１は第１プラテン全体を被う白色板１１ａとスポンジなどの弾性押さえ部材１１ｂで構成されている。
【００３０】
上記フィーダ部１２は原稿シートを載置収納する給紙トレイ１３と排紙トレイ１４と、この両トレイ間を、前述の第２プラテン２ｂを介して連結する搬送経路１５と、この経路内に配置された搬送手段１６で構成されている。図４に示すように排紙トレイ１４は遮光カバー１１の上方に配置され、更にその上方に給紙トレイ１３が配置されている。そして搬送経路１５は給紙トレイ上の原稿を第２プラテン２ｂに案内すると共に、このプラテン２ｂからの原稿を排紙トレイ１４に案内するＵ字形状のパスで構成されている。
【００３１】
上記搬送手段１６は、図４に示すように給紙トレイ１３上方に配置されたキックローラ１７と、このローラで繰り出された原稿シートを下流側に給送する給紙ローラ１８と、このローラで送られるシートの重送を防止する分離手段（分離ローラ）１９が給紙トレイ１３に配置されている。そしてこのトレイの下流側にはレジストローラ２０が一対の圧接したローラ対で配置され、その下流側にリードローラ（搬送ローラ）２１が配置されている。このように給紙ローラ１８で繰り出されシートをレジストローラ２０で先端揃えし、リードローラ２１で第２プラテン２ｂに給送するように構成されている。
【００３２】
上記第２プラテン２ｂの下流側には操出ローラ２２と排紙ローラ２３が配置され、第２プラテン２ｂで読み取った原稿シートを排紙トレイ１４に搬出収納する。このように構成されている搬送手段１６の駆動機構は図３に示すように給紙モータＭ１と搬送モータＭ２で構成されている。給紙モータＭ１は図５（ｂ）で後述するように、その正方向回転でキックローラ１７と給紙ローラ１８をシート操出方向に回転し、その逆方向回転でレジストローラ２０を駆動回転する。また搬送モータＭ２は、その一方向回転でリードローラ２１と操出ローラ２２と排紙ローラ２３をシート搬出方向に回転駆動する。
【００３３】
上記給紙モータＭ１と搬送モータＭ２は図３に示すようにフィーダ筐体１０の一側部に配置され、減速機構を介して各ローラ回転軸に連結されている。このフィーダ筐体１０の主走査方向側部（図３矢示Ａ）にレイアウトされ、この駆動機構部がフィーダ重量の大部分を占める。そしてこの機構部は前記第１プラテン２ａと第２プラテン２ｂに給紙トレイ１３と排紙トレイ１４と搬送経路１５が配置されている関係でスキャナ筐体（前述の外筐ケーシング１）の外部に突出する。
【００３４】
そしてフィーダ筐体１０は上述の搬送機構部を内蔵した側部をヒンジ連結部材２４ａ、２４ｂで図２（ａ）のプラテンクローズ状態と、図２（ｂ）のプラテンオープン状態にヒンジ回動するように連結される。
【００３５】
［連結フレーム］
上述のフィーダ筐体１０の連結構造について説明すると、本発明はスキャナ筐体１と、フィーダ筐体１０とは別に、これらと分離した連結フレーム２５を設けることを特徴としている。この連結フレーム２５は、図２（ｂ）（斜視図）及び図６（断面図）に示すようにスキャナ筐体１と同一の据付面Ｘａに載置可能な設置面２６と、スキャナ筐体１の第１第２プラテン２ａ、２ｂと略々同一平面に位置するヒンジ取付面２７が高さＨを隔てて配置されている。そしてこの設置面２６とヒンジ取付面２７を高さＨを形成して連結する側部壁２８を有する中空フレーム部材で連結フレーム２５は構成されている。
【００３６】
図示の連結フレーム２５は、断面矩形形状の中空部材で構成され、上面壁にヒンジ取付面２７が、底面壁に設置面２６が高さＨを隔てて側部壁２８で互いに一体形成されている。そしてこのヒンジ取付面２７と側部壁２８と設置面２６とはヒンジ取付面に作用するフィーダユニットＢの重量を支持する強度に構成されている。つまりフィーダユニットＢはヒンジ取付面２７に装着され、その重量を連結フレーム２５で据付面Ｘａに支持される。これと共に、フィーダユニットＢはスキャナ筐体１の第１第２プラテン２ａ、２ｂと同一高さ位置にこの連結フレーム２５で装着されることとなる。
【００３７】
そして上記連結フレーム２５には設置面２６に図６（ａ）（ｂ）に示すように第２ブッシュ取付部３１が、またスキャナ筐体１にはスキャナ設置面１ｘに第１ブッシュ取付部３０が設けられている。図示の第１ブッシュ取付部３０はスキャナ設置面１ｘに、その四隅に設けたネジ穴ａ１、ａ２、ａ３、ａ４で構成され、第２ブッシュ取付部３１は連結フレーム２５の設置面２６に、その二隅に設けたネジ穴ｂ１、ｂ２で構成されている。
【００３８】
そして設置脚３３は、例えば弾性に富んだ樹脂、ゴムなどのブッシュで構成され、次のように上記第１第２ブッシュ取付部３０と第２ブッシュ取付部３１に取り付けられる。（１）スキャナユニットにフィーダユニットを装備しないときには、設置脚３３はスキャナ設置面１ｘの四隅のネジ穴で構成される第１ブッシュ取付部３０にボルトで固定される。（２）スキャナユニットにフィーダユニットを装備するときには、設置脚３３は第１ブッシュ取付部３０と第２ブッシュ取付部３１の図８に示す２個所に取り付けられる。
【００３９】
上記設置脚３３のレイアウトについて説明すると、図７にはスキャナユニット単体の場合には、スキャナ筐体１の四隅に図７にａ１、ａ２、ａ３、ａ４で図示する位置に４個の設置脚３３を設ける。このときスキャナユニットの重心は図示ＯＳに位置する。そしてこの重心位置ＯＳを囲むように四隅に４個の設置脚３３を配置する。
【００４０】
このとき重心ＯＳと４個所の設置脚３３が等距離に位置すると最も安定した据付か可能であるが、図示のものはリア側に若干偏った位置に重心点が位置する。これは主にキャリッジモータのレイアウトに原因する。しかし設置脚３３はこの重心の偏りによってスキャナ筐体１が傾かない程度の剛性を有している。
【００４１】
またフィーダユニットＢを装備するときには図８に示すように、スキャナ筐体１の設置脚３３（前述のａ１、ａ２、ａ３、ａ４に配置されている）に加えて連結フレーム２５の第２ブッシュ取付部３１（図８に示すｂ１、ｂ２のネジ穴）に設置脚３３を設ける。このときのスキャナユニットＡとフィーダユニットＢの総重心位置をＯｔで示すが、図７のスキャナ単体に比べて重心位置は装置リア側に大きく偏る。これはフィーダユニットの重量が、装置リア側に偏るためであり、主に給紙モータＭ１と搬送モータＭ２及びその減速機構を装置リア側に配置していることに原因する。
【００４２】
なお、連結フレーム２５は図６（ｂ）に示すようにフィーダユニットＢの重量をヒンジ取付シャーシ（フレームプレート）２７で受け、このシャーシ２７はスキャナユニットの第１ブッシュ取付部３０にブラケット２７ｂで支持されている。このとき重心位置が図８に示すようにスキャナ筐体１側に位置する。そこで連結フレーム２５単体ではフィーダユニットＢを装着した際に転倒する。このため連結フレーム２５は図６（ｂ）に示すように連結ボルト３４でスキャナ筐体の側壁部１ｃに連結してある。これによってフィーダユニットＢを連結フレーム２５で安定した状態で支持することが可能となる。
【００４３】
［ヒンジ連結部材の構成］
次に上述のフィーダユニットＢを連結フレーム２５のヒンジ取付面２７に開閉可能に取り付けるヒンジ連結部材の構造について説明する。図２（ｂ）に示すようにフィーダユニットＢは連結フレーム２５に距離を隔てて２個所に配置されたヒンジ連結部材２４ａ、２４ｂで連結される。その構造を図５（ａ）に示す。
【００４４】
上記ヒンジ連結部材２４ａ、２４ｂはスキャナユニットＡのプラテン上方を開放するため、図１背面側（装置リア側）に左右一対配置されている。上述の連結ヒンジ部材２４ａ、２４ｂは適宜のヒンジ構造が採用可能であるが、その一例を図５（ａ）に基づいて説明する。互いに連結する筐体に取り付ける上部取付座３５と下部取付座３６を備え、この上下の取付座３５、３６を回動自在に連結するヒンジ軸３７と、両取付座３５、３６の間に配置された緩衝バネ３８とで構成されている。
【００４５】
従って上下取付座３５、３６をビスなどで固定した上下の筐体（スキャナ筐体１とフィーダ筺体１０の組合）はヒンジ軸３７を中心に回動自在となり、この開閉時の操作力は緩衝バネ３８によって軽減されることとなる。
【００４６】
そこでスキャナ筐体１とフィーダ筐体１０を連結するヒンジ連結部材２４ａ、２４ｂは第１ヒンジ部材２４ａ（図２（ａ）右側）の緩衝バネは強いバネ力で構成され、第２ヒンジ部材２４ｂ（図２（ａ）左側）の緩衝バネは弱いバネ力で構成されている。このように左右のバネバランスを異ならせたのはフィーダユニットＢが図４左側に位置する前述の搬送手段１６は重量が重く、図４右側に位置する遮光カバー１１は重量が軽いためである。従って左右のヒンジ部材２４ａ、２４ｂの耐荷重バランスをその重量に応じて異ならせることが好適であり、装置構成によっては第１ヒンジ部材２４ａのみに緩衝バネを配置し、第２ヒンジ部材２４ｂには緩衝バネを配置しないように構成する。
【００４７】
［駆動機構の構成］
上述の搬送手段１６の駆動機構を図５（ｂ）に示す。前述の前記キックローラ１７は給紙トレイ１３の上方で最上シートと係合する作動位置とこのシートから上方に離間した退避位置との間で上下昇降自在に配置されている。これは給紙トレイ上にシートをセットする際は上方の退避位置に退避させ、セット後のシートを繰出す際には作動位置に位置させるためである。その昇降機構を図５（ｂ）に示すが、同図においてキックローラ１７は回転軸１８ａに昇降アーム１７Ｒで揺動自在に支持されている。この回転軸１８ａには次のように給紙モータＭ１が連結されている。
【００４８】
図５（ｂ）に示すように上記昇降アーム１７Ｒは回転軸１８ａにその基端部が遊嵌支持され、アーム先端部にキックローラ１７が軸支持されている。そしてアーム基端部には回転軸１８ａに巻回されたバネクラッチ１８ｂのバネ端部が摩擦係合してあり、このバネクラッチ１８ｂは回転軸１８ａの給紙方向回転（図４時計方向）では緩み、反給紙方向回転（図４反時計方向）では緊縮するように構成されている。
【００４９】
従って回転軸１８ａの給紙方向回転でバネクラッチ１８ｂは緩み昇降アーム１７Ｒは自重で同図時計方向に揺動し、反給紙方向回転で緊縮して回転軸１８ａと一体に揺動回転し図示しないストッパ部材に突き当たってその位置に保持される。そして上記回転軸１８ａにはワンウェイクラッチ１８ｃを介して給紙ローラ１８が配置され、このワンウェイクラッチ１８ｃを介してプーリ１８ｐから伝動ベルト１８ｖで回転軸１８ａの回転をキックローラ１７に伝達するようになっている。上記ワンウェイクラッチ１８ｃは回転軸１８ａの給紙方向回転を給紙ローラ１８とキックローラ１７に伝達するように構成されている。
【００５０】
上記回転軸１８ａには給紙ローラ１８がワンウェイクラッチ１８ｃを介して嵌合支持され、回転軸１８ａの給紙方向回転を給紙ローラ１８に伝達するよう構成されている。この給紙ローラ１８はシート幅の略々中央部に配置され、これに圧接された分離ローラ１９との間でシートを１枚ずつ分離する。このように構成された給紙ローラ１８の下流側には間隔を隔ててレジストローラ２０が配置され、分離手段（分離ローラ）１９で１枚に分離され給送されるシートの先端を突き当てて先端揃えする。
【００５１】
つまり給紙ローラ１８で繰出されたシートの先端を停止状態のレジストローラ２０のニップ点に突き当ててシートを湾曲させ、次いで停止状態の給紙ローラ１８からシートを引き出すことによってシートのスキュを矯正する。
【００５２】
上記レジストローラ２０は上記給紙ローラ１８と背反的に一方が回転するときは他方は停止するように正逆転可能な給紙モータＭ１に連結されている。図５（ｂ）に示すように給紙モータＭ１の回転はベルトＶ１を介して回転軸２０ｃに伝達され、この回転軸２０ｃの一方向（前記回転軸１８ａの反給紙方向）回転のみをバネクラッチ２０ｂでギア列Ｇ３に伝達し、このギア列Ｇ３にレジストローラ２０の駆動回転軸２０ａが連結してある。
【符号の説明】
【００５３】
Ａ        スキャナユニット
Ｂ        フィーダユニット
１        外筺ケーシング（スキャナ筺体）
１ｘ      スキャナ設置面
１ａ      天部
１ｂ      底部
１ｃ      側壁部
２ａ      第１プラテン
２ｂ      第２プラテン
３        光学キャリッジ
Ｘａ      据付面
１０      フィーダ筐体
１１      遮光カバー
１１ａ    白色板
１１ｂ    弾性押さえ部材
１２      フィーダ部
１３      給紙トレイ
１４      排紙トレイ
１５      搬送経路
１６      搬送手段
１７      キックローラ
１８      給紙ローラ
１９      分離手段
２０      レジストローラ
２４ａ    ヒンジ連結部材
２４ｂ    ヒンジ連結部材
２５      連結フレーム
２６      設置面
２７      ヒンジ取付面
２８      側部壁
３０      第１ブッシュ取付部
３１      第２ブッシュ取付部
３３      設置脚
３４      連結ボルト
Ｍ１      給紙モータ
【図１】
0005479870.tif 000002
【図２】
0005479870.tif 000003
【図３】
0005479870.tif 000004
【図４】
0005479870.tif 000005
【図５】
0005479870.tif 000006
【図６】
0005479870.tif 000007
【図７】
0005479870.tif 000008
【図８】
0005479870.tif 000009